(57)【要約】【課題】  仕切板に設けた放熱孔から侵入した雨水を、仕切板とリアクタ取付用の取付部材との組み合わせにより、圧縮機室内に飛散させることなく底板に導く導水路を構成した空気調和機の室外機を提供する。【解決手段】  内部が、底板１上に立設されて上部に放熱孔２ｂを備え下部に補強リブ２ｅ，２ｇを備えた仕切板２により圧縮機室と熱交換器室とに区画され、前記仕切板２に、前記放熱孔２ｂと前記補強リブ２ｅ，２ｇの一部とに対向するリアクタ７取付用の取付部材１０が取り付けられてなり、前記放熱孔２ｂから雨水が侵入した際、前記取付部材１０で遮水されるとともに、前記補強リブ２ｅ，２ｇで前記底板１に導水されてなる構成とした。【選択図】  図４
2009281662.tif 000002
【特許請求の範囲】
【請求項１】
内部が、底板上に立設されて上部に放熱孔を備え下部に補強リブを備えた仕切板により圧縮機室と熱交換器室とに区画され、前記仕切板に、前記放熱孔と前記補強リブの一部とに対向するリアクタ取付用の取付部材が取り付けられてなり、
前記放熱孔から雨水が侵入した際、前記取付部材で遮水されるとともに、前記補強リブで前記底板に導水されてなることを特徴とする空気調和機の室外機。
【請求項２】
前記補強リブは、前記圧縮機室側が凹むように形成された上下に延びる縦溝部と、同縦溝部の上端に接続された前後に延びる横溝部とで構成される溝部からなり、
前記取付部材は、前記リアクタを固定し、前記放熱孔と前記縦溝部の一部とに対向する対向部と、前記仕切板に取り付けられて、同仕切板と前記対向部との間に中空部を形成する取付部と、前記対向部の下端に折曲形成され先端を前記仕切板に当接させたフランジとを備えてなり、
前記中空部と前記溝部とで、前記放熱孔から侵入した雨水を前記底板に導く導水路が構成されてなることを特徴とする請求項１に記載の空気調和機の室外機。
【請求項３】
前記横溝部の下部に、前記縦溝部に接続された前後に延びる補助横溝部が設けられてなることを特徴とする請求項２に記載の空気調和機の室外機。
【発明の詳細な説明】
【技術分野】
【０００１】
本発明は、空気調和機の室外機に係わり、より詳細には、仕切板に設けた放熱孔から侵入した雨水を圧縮機室内に飛散させることなく底板に導く導水路の構造に関する。
【背景技術】
【０００２】
従来の空気調和機の室外機は、図８（Ａ）および図８（Ｂ）に示すように、リアクタａを底板上の仕切板ｂに取り付けて仕切板ｂのコンパクト化をはかるものとして、ファンｃと熱交換器ｄとを有する熱交換器室ｅと、圧縮機ｆを有する圧縮機室ｇとに、吹出口ｈを備えた前板ｉ、熱交換器カバーｊ、圧縮機室側板ｋおよび天板ｌからなるケーシングｍ内を仕切板ｂによって区画したものにおいて、前記仕切板ｂの圧縮機室ｇ側で圧縮機ｆの上方に開口ｎを備えた凹部ｏを形成し、この凹部ｏに面してリアクタａを配置するようにし、また前記仕切板ｂの上部を圧縮機室ｇ側に折り曲げて電装ボックスｐとの間に遮熱板ｑを形成し、この遮熱板ｑの下方の仕切板ｂにリアクタａの取付ベースａ’を、切起しｔおよびねじｕによって取り付けるようにしたものが開示されていた（例えば、特開２００２−１３７６４号公報参照。）。
【０００３】
リアクタ取付部ｒには開口ｎを備えた凹部ｏが設けられる一方、この開口ｎが設けられたことで雨水が侵入して圧縮機室に飛散しないように仕切板ｂに防水用のカバーｓが添設されており、これによって仕切板ｂの強度補強になるという効果も奏するが、個別の部材からなるカバーｓを設ける必要があるため構成部材が増加し、構造が複雑化してコスト高になってしまうという問題点を有していた。
【０００４】
また、開口ｎから侵入した雨水が防水用のカバーｓで圧縮機室に飛散しないように遮水されたのち、どのように導かれて外部に排出されるのかが考慮されていなかった。
【特許文献１】特開２００２−１３７６４号公報
【発明の開示】
【発明が解決しようとする課題】
【０００５】
そこで、本発明は上述した課題を解決するためになされたものであって、その目的は、仕切板に設けた放熱孔から侵入した雨水を、仕切板とリアクタ取付用の取付部材との組み合わせにより、圧縮機室内に飛散させることなく底板に導く導水路を構成した空気調和機の室外機を提供することにある。
【課題を解決するための手段】
【０００６】
上述した目的を達成できるように構成するため、本発明は以下に示す特徴を備えている。
【０００７】
内部が、底板上に立設されて上部に放熱孔を備え下部に補強リブを備えた仕切板により圧縮機室と熱交換器室とに区画され、前記仕切板に、前記放熱孔と前記補強リブの一部とに対向するリアクタ取付用の取付部材が取り付けられてなり、
前記放熱孔から雨水が侵入した際、前記取付部材で遮水されるとともに、前記補強リブで前記底板に導水されてなることを特徴としている。
【０００８】
また、前記補強リブは、前記圧縮機室側が凹むように形成された上下に延びる縦溝部と、同縦溝部の上端に接続された前後に延びる横溝部とで構成される溝部からなり、
前記取付部材は、前記リアクタを固定し、前記放熱孔と前記縦溝部の一部とに対向する対向部と、前記仕切板に取り付けられて、同仕切板と前記対向部との間に中空部を形成する取付部と、前記対向部の下端に折曲形成され先端を前記仕切板に当接させたフランジとを備えてなり、
前記中空部と前記溝部とで、前記放熱孔から侵入した雨水を前記底板に導く導水路が構成されてなることを特徴としている。
【０００９】
また、前記横溝部の下部に、前記縦溝部に接続された前後に延びる補助横溝部が設けられてなることを特徴としている。
【発明の効果】
【００１０】
本発明によれば、仕切板に設けた放熱孔から侵入した雨水を、仕切板とリアクタ取付用の取付部材との組み合わせにより、圧縮機室内に飛散させることなく底板に導く導水路を構成した空気調和機の室外機を提供できる。
【発明を実施するための最良の形態】
【００１１】
次に、本発明の実施形態について図面を参照しながら説明する。
【００１２】
図１は本発明による空気調和機の室外機の斜視図であり、図２は本発明による空気調和機の室外機の要部分解斜視図であり、図３は本発明による空気調和機の室外機の要部斜視図であり、図４は本発明による空気調和機の室外機の要部説明図であり、図５は図４に示すＡ矢視図であり、図６は本発明による空気調和機の室外機の要部説明図で、（Ａ）は図４に示すＢ−Ｂ断面図、（Ｂ）は図６（Ａ）に示すＡ部の拡大断面図であり、図７は本発明による空気調和機の室外機の要部説明図で、（Ａ）は取付部材の正面図、（Ｂ）は側面図、（Ｃ）は上面図、（Ｄ）は斜視図である。
【００１３】
本発明による空気調和機の室外機は、前面パネルの一部（圧縮機室側）を取り外した斜視図として図１に示すように、脚部１ａを備えた底板１の上部が、この底板１上に立設した仕切板２により、圧縮機３を底板１上部の前部寄りに設置した圧縮機室４と、熱交換器５を底板１上部の後部寄りに設置し、この熱交換器５に図示しない送風ファンを対向設置した熱交換器室６とに区画された構成になっている。
【００１４】
底板１には、図示しない送風ファンを臨ませるように吹出口１２ａを設けた前面パネル１２や、側面パネル１３および上面パネル１４等が被着されており、これら底板１に被着された前面パネル１２や、側面パネル１３および上面パネル１４等の内側に、圧縮機３、熱交換器５および図示しない送風ファン等が収容され保護されてなる構成になっている。
【００１５】
仕切板２には、圧縮機室４側の面に複数（３個）のリアクタ７が、このリアクタ７を取り付けるための取付部材１０を介して、互いに上下方向に近接させた状態で取り付けられている。
【００１６】
リアクタ７は、約２．５キログラム×３個＝約７．５キログラムの重さのものが近接して取り付けられることから、仕切板２は、このリアクタ７の重さによって撓みや変形が生じないように強度を増強するため、取付部材１０が取り付けられることにより、仕切板２と取付部材１０との間に、図６（Ａ）に示すような略四辺形状の隙間１５が形成された構造になっている。
【００１７】
熱交換器室６に設けられた図示しない送風ファンは、熱交換器５を臨ませた吸込口から外気を吸い込んだのち、この吸込空気を熱交換器５により熱交換したのち前面パネル１２に設けられた吹出口１２ａから外部に吹き出すようになっている。
【００１８】
その際、圧縮機室４の側部に設けられた図示しない配線および配管の導入部近傍や、把手部近傍にある吸入部からも外気が吸入され、圧縮機室４内や図示しない電装部内を流通してリアクタ７や電装品を冷却したのち、温度上昇した空気は、図２と、図６（Ａ）および図６（Ｂ）とに示す仕切板２に設けられた放熱孔２ｂから熱交換器室６に流通して、前面パネル１２に設けられた吹出口１２ａから外部に吹き出される。
【００１９】
仕切板２に設けられた放熱孔２ｂは、本体の背面や側面に設けられた吸込口から外気といっしょに雨水を吸い込んだ際、図６（Ｂ）に示す矢印Ｂのように、熱交換器室６から圧縮機室４側に雨水の一部を侵入させてしまうことになる。
【００２０】
また、風雨が強い場合には、低速回転もしくは停止状態の送風ファンを逆回転させることになって、前面パネル１２に設けられた吹出口１２ａから入った雨水の一部が送風ファンによって飛散し、図６（Ｂ）に示す矢印Ｂのように、仕切板２に設けられた放熱孔２ｂから圧縮機室４側に侵入してしまうことになる。
【００２１】
仕切板２には放熱孔２ｂが設けられるとともに、強度を増強するための補強リブが設けられており、この補強リブは、圧縮機室４側が凹むように形成（凹設）された上下に延びる縦溝部２ｅと、この縦溝部２ｅの上端部２ｆに一端が接続され他端が本体の後部に向けて延びる横溝部２ｇとからなる溝部として形成されている。
【００２２】
縦溝部２ｅおよび横溝部２ｇからなる溝部は断面コ字状に形成（凹設）されており、これによって、放熱孔２ｂから侵入した雨水をより円滑に導けるようになり、また、仕切板２の強度を高めて効果的に補強できるようになる。
【００２３】
放熱孔２ｂから侵入した雨水は、図６（Ａ）および図７に示す取付部材１０によって圧縮機室４内に飛散しないように遮水されたのち、略四辺形状の隙間１５において流下し、図４乃至図６（Ａ）に示す仕切板２に凹設された縦溝部２ｅと、この縦溝部２ｅの上端部２ｆに一端が接続され他端が本体の後部に向けて延びる横溝部２ｇとからなる溝部に沿いながら底板１に円滑に導かれる。
【００２４】
溝部は、図４に示す二点鎖線のように、横溝部２ｇの下部に、この横溝部２ｇと平行な補助横溝部２ｇ’が設けられるとともに、補助横溝部２ｇ’の一端が、縦溝部２ｅの下端部に接続されるように構成してもよい。
【００２５】
なお、横溝部２ｇや補助横溝部２ｇ’は、縦溝部２ｅの上端部２ｆや下端部２ｆ’との接続部が夫々の後端部よりも少許低くなるように形成されることで、縦溝部２ｅに集中的に水を集めて底板１に導水できるようになり、底板１において熱交換器５から滴下した凝縮水と合流させて外部に排水されることになる。
【００２６】
または、横溝部２ｇや補助横溝部２ｇ’は、夫々の後端部が前端部よりも少許低くなるように形成されることで、図４に示すように、これらの後端部から、横溝部２ｇや補助横溝部２ｇ’で導かれた水が熱交換器５に近い底板１の後部寄りに滴下するように構成してもよい。
【００２７】
また溝部は、縦溝部２ｅや横溝部２ｇなどによって、仕切板２に対し縦方向や横方向に延びるように凹設された構成になっているので、所謂補強リブを縦横に形成したのと同様に仕切板２の強度を効果的に増強できる構造になることから、仕切板２の板厚の薄形化を実現できることになる。
【００２８】
ここで、リアクタ７を仕切板２に取り付けるために用いられるとともに、仕切板２に設けられた放熱孔２ｂから侵入した雨水を遮水するための取付部材１０について詳細に説明する。
【００２９】
リアクタ７取付用の取付部材１０は、図３乃至図６（Ａ）に示すようにリアクタ７がねじ止めにより固定されており、図４と、図６（Ａ）および図６（Ｂ）と、図７（Ａ）乃至図７（Ｄ）とに示すように、仕切板２に設けられた放熱孔２ｂと縦溝部２ｅの上端部２ｆとに対向する対向部８と、仕切板２に取り付けられて、図６（Ａ）に示すように、仕切板２と対向部８との間を互いに平行に離間させた略四辺形状の隙間１５からなる中空部を形成する取付部９と、対向部８の下端に折曲形成され先端を仕切板２に当接させたフランジ８ｄとを備えている。
【００３０】
これによって、例えば仕切板２に対し、対向部８を取付部９といっしょに隙間なく接合したような場合に較べて、略四辺形状の隙間１５からなる中空部を形成したことで、仕切板２と取付部材１０との組み合わせによる強度を増強させることができて、鈑金によって形成される仕切板２の薄板化を可能にした構造になる。
【００３１】
取付部材１０を構成する対向部８には、リアクタ７の脚部７ａに備えた固定孔を通したねじ１６ａを螺着するためのねじ止め部８ａが穿設され、上部には手掛けを可能にした通し孔８ｂが設けられ、リアクタ７の下端位置を受けることで固定時の強度を増強させるための複数の突部８ｃが設けられるとともに、下端部には、取付部材１０を箱形状に形成することで強度をさらに増強させるとともに、仕切板２の放熱孔２ｂから侵入し、隙間１５から圧縮機室４に漏れることなく流下した雨水を受けるように折曲形成されたフランジ８ｄが設けられている。
【００３２】
対向部８の下端に折曲形成されたフランジ８ｄは、図１および図４に示すように、縦溝部２ｅの上端部２ｆおよび横溝部２ｇの下部に近接する位置に設けられ、また、縦溝部２ｅの下端部２ｆ’や補助横溝部２ｇ’は底板１に近接する位置に設けられており、これによって、リアクタ７や配管３ａおよび圧縮機３などを放熱孔２ｂから侵入した雨水から確実に保護できる構造になる。
【００３３】
また、取付部材１０を構成する対向部８の上端部には、図７（Ｂ）に示すようなコ字状に折曲形成された懸架部１１が設けられており、図３乃至図５に示すように、懸架部１１を仕切板２の上端部に懸架できるようになっている。
【００３４】
仕切板２には、図２および図４に示すように、取付部材１０の取付部９を取り付けるための複数のねじ止め部２ａが設けられ、少なくとも上端部には、懸架部１１の寸法形状に対応してこの懸架部１１をほぼ隙間なく懸架できるように所定の寸法で形成され、且つ、図４に示すように、懸架部１１の上面部が面一状になるように懸架するための凹部２ｄを備えたフランジ２ｃが設けられており、また、取付部材１０の対向部８に対向して上下方向に延びる複数の放熱孔２ｂが設けられ、この放熱孔２ｂの下部には、上下に延びる縦溝部２ｅと、縦溝部２ｅの上端部２ｆに一端が接続され他端が底板１上部の後部寄りに向けて延びる横溝部２ｇとからなる溝部が凹設されており、また、横溝部２ｇの下部には、横溝部２ｇと平行な補助横溝部２ｇ’が凹設されるように構成してもよく、この場合、補助横溝部２ｇ’の一端が、縦溝部２ｅの下端部２ｆ’に接続されるように形成される。
【００３５】
上下に延びる縦溝部２ｅは、圧縮機室４側が凹むように形成（凹設）されており、この圧縮機室４に面して上下に延びた凹状の縦溝部２ｅに沿って仕切板２の放熱孔２ｅから侵入した雨水が流下し、縦溝部２ｅの下端に対応する底板１には、図４に示すように、流下した雨水を外部に排出するための排水孔からなる排水部１ｂが穿設されている。
【００３６】
これによって、仕切板２の放熱孔２ｂから侵入した雨水の一部は、取付部材１０の対向部８に当たったのち略四辺形状の隙間１５から圧縮機室４に漏れることなく流下して、対向部８のフランジ８ｄで受けられることになり、フランジ８ｄで受けた水は、対向部８が対向する縦溝部２ｅの上端部２ｆから流入して、この縦溝部２ｅに沿って流下することになり、底板１の排水部１ｂから外部に円滑に排出される。
【００３７】
また、縦溝部２ｅの上端部２ｆには、図２および図４に示すように、底板１上部の後方に延びる横溝部２ｇが接続されている。
【００３８】
これにより、横溝部２ｇの前部（上端部２ｆとの接続部）が横溝部２ｇの後部よりも少許低くなるように傾斜している場合には、横溝部２ｇに沿いながら縦溝部２ｅに水が集められて底板１に導かれるようになり、横溝部２ｇの前部（上端部２ｆとの接続部）が横溝部２ｇの後部よりも少許高くなるように傾斜している場合には、略四辺形状の隙間１５から圧縮機室４内に漏れることなく流下した水は、上端部２ｆに流入するのと同時に横溝部２ｇにも流入して、図４に示すように、横溝部２ｇに沿って底板１上部の後部寄りに導かれ底板１上に滴下することになるため、横溝部２ｇの前部または後部の何れが低くなるように傾斜した場合であっても、本体前部の吹出口１２ａから外部に水滴が飛散するおそれがない。
【００３９】
また同様に、横溝部２ｇの下部に、図４に示す二点鎖線のように補助横溝部２ｇ’が凹設されて、その一端が縦溝部２ｅの下端部２ｆ’に接続された構成にしてもよく、この場合、補助横溝部２ｇ’の前部または後部が、補助横溝部２ｇ’の後部または前部よりも少許低くなるように傾斜することで、補助横溝部２ｇ’に沿いながら縦溝部２ｅに水が集められて底板１に導かれるようになるか、もしくは、補助横溝部２ｇ’に沿いながら底板１上部の後部寄りに導かれて底板１上に滴下することになる。
【００４０】
そして、底板１上に滴下した水は、熱交換器５から滴下した凝縮水に合流することで、ドレン水として外部に排水されることになる。
【００４１】
また、取付部材１０を構成する取付部９には、仕切板２のねじ止め部２ａに対応する複数の取付孔９ａが設けられており、この取付孔９ａを通したねじ１６ｂをねじ止め部２ａに螺着することで仕切板２に取り付けられ、対向部８と仕切板２との間に隙間１５を形成することで、上述したように、該箇所に略四辺形状の中空部が形成されたり、もしくは、対向部８の下端に折曲形成されたフランジ８ｄからなる底面部を有することで箱形状に形成された構造になる。
【００４２】
これにより、略四辺形状の隙間１５をなす仕切板２と取付部材１０の対向部８との間隔は、フランジ２ｃの幅寸法と略同一の寸法で形成されることになり、図３および図５に示すように、フランジ２ｃの幅寸法に合わせて取付部材１０が掛架されることから、この取付部材１０の対向部８がフランジ２ｃの幅寸法を越えて圧縮機室４に出っ張らない構成になり、この圧縮機室４における配管３ａ用のスペースを確保しやすくなる。
【００４３】
その際、仕切板２の凹部２ｄに懸架部１１が懸架されていることから、取付部材１０が仕切板２に対して位置決めしやすい状態になっているので、取付孔９ａを通したねじ１６ｂをねじ止め部２ａに螺着する作業を容易に行えるようになっている。
【００４４】
また、図２に示す仕切板２のねじ止め部２ａは、図７（Ａ）および図７（Ｄ）に示す取付部材１０の取付孔９ａ（３箇所）に対応する位置に設けられており、図７（Ａ）および図７（Ｄ）に示す右下の位置には、ねじ１６ｂによってねじ止めされていない構成になっているが、該箇所がねじ止め固定されていなくても、上述したように、取付部材１０には重いリアクタ７を取り付けているため、その荷重で該箇所が固定されているのと同等に仕切板２に強く押圧されているので、リアクタ７が取り付けられた時の強度が増強されることになり構造上の問題はない。
【００４５】
そして、ねじ止め箇所を３箇所に限定した構成にすることで、ねじ止め箇所を４箇所またはそれ以上にした場合に較べてねじ止めの作業量を減らせることになり、また、図１に示すように、該箇所に対向する位置には圧縮機３に連なる配管３ａが配設されていることから、該箇所で、配管３ａを避けながらねじ止めを行うといった困難が伴う作業を実施しなくても済むようになって、着脱の作業が伴うメンテナンス性も良好になる。
【００４６】
なお、上述した箇所に対向して配設される配管３ａの量が多くない場合には、図７（Ａ）および図７（Ｄ）に示す右下の位置においてもねじ１６ｂによってねじ止めするように構成することで、該箇所をより強固に固定できるようにしてもよい。
【００４７】
次に、リアクタ７（３個）が、取付部材１０を介して仕切板２に取り付けられる動作（手順）について説明する。
【００４８】
リアクタ７は、図４と、図６（Ａ）および図７とに示すように、その脚部７ａに設けられた複数の固定孔を通したねじ１６ａを対向部８に設けられたねじ止め部８ａにねじ止めして固定される。
【００４９】
その際、上述したように、リアクタ７の下端位置が対向部８に設けられた複数の突起８ｃで受けられることになって、リアクタ７を対向部８に固定した時の固定強度がさらに増強されることになる。
【００５０】
また、リアクタ７取付用の取付部材１０は、対向部８に設けられた通し孔８ｂに手指を掛けて持ち上げながら、図２および図３に示すように、懸架部１１が仕切板２の上端部に折曲形成されたフランジ２ｃの凹部２ｄに懸架されることで仮固定された状態になるので、取付部９に設けられた３箇所の取付孔９ａと、この取付孔９ａに対応して仕切板２に設けられたねじ止め部２ａとを正確に、且つ容易に位置合わせできるようになる。
【００５１】
取付孔９ａをねじ止め部２ａに位置合わせして、取付部９の取付孔９ａにねじ１６ｂを通し、仕切板２のねじ止め部２ａにねじ止めすることにより、図４乃至図６（Ａ）に示すようにリアクタ７取付用の取付部材１０が仕切板２に取り付けられる。
【００５２】
リアクタ７取付用の取付部材１０が仕切板２に取り付けられた際、取付部材１０と仕切板２とによって隙間１５を中空構造状に、もしくは箱形構造状に形成することで該箇所の強度を増強できるようになり、リアクタ７の重さによって、仕切板２に撓みや変形が生じてしまわない構造になる。
【００５３】
そして、発熱したリアクタ７の熱を放熱するための放熱孔２ｂが設けられるとともに、縦溝部２ｅや横溝部２ｇが凹設された仕切板２に、縦溝部２ｅの上端部２ｆに対向させた対向部８と、仕切板２に取り付けられて隙間１５を形成する取付部９とからなり、リアクタ７取付用の取付部材１０を固定することにより、放熱孔２ｂから侵入した雨水の一部を隙間１５から圧縮機室４内に飛散させることなく流下させ、フランジ８ｄで受けたのち、縦溝部２ｅにより底板１に向けて導水し排水部１ｂから外部に排出できるようになる。
【００５４】
また、横溝部２ｇに沿って底板１上部の後部寄りに導水したのち底板１上に滴下させ、熱交換器５から滴下した凝縮水に合流させたドレン水として外部に排水できるようにした空気調和機の室外機となる。
【００５５】
なお、縦溝部２ｅの下端部２ｆ’が底板１の少許上方に位置するように形成され、この下端部２ｆ’に補助横溝部２ｇ’の一端が接続されるように形成された場合には、補助横溝部２ｇ’の傾斜によって、補助横溝部２ｇ’に沿いながら縦溝部２ｅに水が集められて底板１に導かれるようになるか、もしくは、補助横溝部２ｇ’に沿いながら底板１上部の後部寄りに導かれて底板１上に滴下し、熱交換器５から滴下した凝縮水に合流することになる。
【図面の簡単な説明】
【００５６】
【図１】本発明による空気調和機の室外機の斜視図である。
【図２】本発明による空気調和機の室外機の要部分解斜視図である。
【図３】本発明による空気調和機の室外機の要部斜視図である。
【図４】本発明による空気調和機の室外機の要部説明図である。
【図５】図４に示すＡ矢視図である。
【図６】本発明による空気調和機の室外機の要部説明図で、（Ａ）は図４に示すＢ−Ｂ断面図であり、（Ｂ）は図６（Ａ）に示すＡ部の拡大断面図である。
【図７】本発明による空気調和機の室外機の要部説明図で、（Ａ）は取付部材の正面図であり、（Ｂ）は側面図であり、（Ｃ）は上面図であり、（Ｄ）は斜視図である。
【図８】従来例による空気調和機の室外機の説明図で、（Ａ）は分解斜視図であり、（Ｂ）は要部断面図である。
【符号の説明】
【００５７】
１  底板
１ａ  脚部
１ｂ  排水部
２  仕切板
２ａ  ねじ止め部
２ｂ  放熱孔
２ｃ  フランジ
２ｄ  凹部
２ｅ  縦溝部
２ｆ  上端部
２ｆ’  下端部
２ｇ  横溝部
２ｇ’  補助横溝部
３  圧縮機
３ａ  配管
４  圧縮機室
５  熱交換器
６  熱交換器室
７  リアクタ
７ａ  脚部
８  固定部
８ａ  ねじ止め部
８ｂ  通し孔
８ｃ  突起
８ｄ  フランジ
９  取付部
９ａ  取付孔
１０  取付部材
１１  懸架部
１２  前面パネル
１２ａ  吹出口
１３  側面パネル
１４  上面パネル
１５  隙間
１６ａ  ねじ
１６ｂ  ねじ
【図１】
2009281662.tif 000003
【図２】
2009281662.tif 000004
【図３】
2009281662.tif 000005
【図４】
2009281662.tif 000006
【図５】
2009281662.tif 000007
【図６】
2009281662.tif 000008
【図７】
2009281662.tif 000009
【図８】
2009281662.tif 000010